(57)【特許請求の範囲】
【請求項１】
所定の基準周波数で変調された施解錠信号に応じてドアの施錠及び解錠を制御する施解錠制御装置であって、
前記施解錠信号から前記所定の基準周波数を検知すると電力供給を指示する指示信号を送出するキャリア検知手段と、
前記施解錠信号を受信する信号受信手段と、
前記信号受信手段で受信した施解錠信号に含まれる識別コードと予め登録されている識別コードを比較して前記ドアを施錠又は解錠するための施解錠制御信号を送出する施解錠制御手段と、
前記施解錠制御手段から送出される施解錠制御信号に基づいて前記ドアを施錠又は解錠する施解錠機構と、
電力供給のオン／オフを切り換える切換スイッチと、
前記キャリア検知手段から送出される前記指示信号に応じて前記切換スイッチのオン／オフを制御することができるタイマと、
前記キャリア検知手段に電力を供給するとともに、前記切換スイッチがオンになると前記信号受信手段及び前記施解錠制御手段に電力供給する電源手段と、
を備え、
前記キャリア検知手段が前記施解錠信号から前記所定の基準周波数を検知すると、前記タイマが動作して前記切換スイッチを一定時間オンに切り換えて前記電源手段から供給される電力によって前記信号受信手段及び前記施解錠制御手段が動作し、
前記信号受信手段によって前記施解錠信号を受信すると、
前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、
前記施解錠機構は、前記施解錠制御手段から送出される施解錠制御信号に基づいて前記ドアを施錠又は解錠すること
を特徴とする施解錠制御装置。
【請求項２】
前記タイマは、前記施解錠信号を受信するまでの間は前記切換スイッチを間欠的にオン／オフし、前記信号受信手段及び前記施解錠制御手段に対して前記電源手段からの電力を間欠的に供給するようにしたこと
を特徴とする請求項１に記載の施解錠制御装置。
【請求項３】
更に、前記ドアの施錠又は解錠状態を前記施解錠信号の受信前後で比較することにより該ドアの施錠又は解錠状態を検知し、該検知した施錠又は解錠状態を状態検知信号として前記施解錠制御手段に送出する施錠状態検知手段を備え、
前記施解錠制御手段は、前記施錠状態検知手段からの状態検知信号に基づいて前記施解錠制御信号を送出すること
を特徴とする請求項１に記載の施解錠制御装置。
【請求項４】
前記キャリア検知手段、前記信号受信手段、前記施解錠制御手段、前記施解錠機構、前記切換スイッチ及び前記電源手段を一筐体に納めて形成し、且つ、前記ドアに内蔵できるように形成したこと
を特徴とする請求項１に記載の施解錠制御装置。
【請求項５】
更に、前記施解錠信号を受信するためのアンテナを前記筐体に設けて形成したこと
を特徴とする請求項４に記載の施解錠制御装置。
【請求項６】
所定の基準周波数で変調された施解錠信号に応じてドアの施錠及び解錠を制御する施解錠制御装置であって、
人の接近を検知すると電力供給を指示する指示信号を送出する人検知手段と、
前記施解錠信号を受信する信号受信手段と、
前記信号受信手段で受信した施解錠信号に含まれる識別コードと予め登録されている識別コードを比較して前記ドアを施錠又は解錠するための施解錠制御信号を送出する施解錠制御手段と、
前記施解錠制御手段から送出される施解錠制御信号に基づいて前記ドアを施錠又は解錠する施解錠機構と、
電力供給のオン／オフを切り換える切換スイッチと、
前記人検知手段から送出される前記指示信号に応じて前記切換スイッチのオン／オフを制御することができるタイマと、
前記人検知手段に電力を供給するとともに、前記切換スイッチがオンになると前記信号受信手段及び前記施解錠制御手段に電力供給する電源手段と、
を備え、
前記人検知手段によって人の接近を検知すると、前記タイマが動作して前記切換スイッチを一定時間オンに切り換えて前記電源手段から供給される電力によって前記信号受信手段及び前記施解錠制御手段が動作し、
前記信号受信手段によって前記施解錠信号を受信すると、前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、
前記施解錠機構は、前記施解錠制御手段から送出される施解錠制御信号に基づいて前記ドアを施錠又は解錠すること
を特徴とする施解錠制御装置。
【請求項７】
前記人検知手段は、焦電センサを具備していること
を特徴とする請求項６に記載の施解錠制御装置。
【請求項８】
前記人検知手段、前記信号受信手段、前記施解錠制御手段、前記施解錠機構、前記切換スイッチ及び前記電源手段を一筐体に納めて形成し、且つ、前記ドアに内蔵できるように形成したこと
を特徴とする請求項６に記載の施解錠制御装置。
【請求項９】
更に、前記施解錠信号を受信するためのアンテナを前記筐体に設けて形成したこと
を特徴とする請求項８に記載の施解錠制御装置。
【請求項１０】
赤外線信号と所定の基準周波数で変調された施解錠信号とに応じてドアの施錠及び解錠を制御する施解錠制御装置であって、
前記赤外線信号を検知する赤外線検知手段と、
前記施解錠信号を受信する信号受信手段と、
前記信号受信手段で受信した施解錠信号に含まれる識別コードと予め登録されている識別コードを比較して前記ドアを施錠又は解錠するための施解錠制御信号を送出する施解錠制御手段と、
前記施解錠制御手段から送出される施解錠制御信号に基づいて前記ドアを施錠又は解錠する施解錠機構と、
電力供給のオン／オフを切り換える切換スイッチと、
前記赤外線検知手段に電力を供給するとともに、前記切換スイッチがオンになると前記信号受信手段及び前記施解錠制御手段に電力供給する電源手段と、
を備え、
前記赤外線検知手段が前記赤外線信号を検知すると、前記施解錠制御手段によって前記切換スイッチが一定時間オンに切り換えられて前記電源手段から供給される電力によって前記信号受信手段及び前記施解錠制御手段が動作し、
前記信号受信手段によって前記施解錠信号を受信すると、前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、
前記施解錠機構は、前記施解錠制御手段から送出される施解錠制御信号に基づいて前記ドアを施錠又は解錠すること
を特徴とする施解錠制御装置。
【請求項１１】
前記赤外線検知手段、前記信号受信手段、前記施解錠制御手段、前記施解錠機構、前記切換スイッチ及び前記電源手段を一筐体に納めて形成し、且つ、前記ドアに内蔵できるように形成したこと
を特徴とする請求項１０に記載の施解錠制御装置。
【請求項１２】
更に、前記施解錠信号を受信するためのアンテナを前記筐体に設けて形成したこと
を特徴とする請求項１１に記載の施解錠制御装置。
【発明の詳細な説明】
【０００１】
【発明の属する技術分野】
本発明は、施解錠制御装置に関し、特に、電波・赤外線等を使用して、家屋や車両等のドアの施錠または解錠を制御する施解錠制御装置に関するものである。
【０００２】
【従来の技術】
従来、家屋や車両等のドアの施錠や解錠は、鍵を用いずに電波・赤外線等によって指令を発し施解錠するものが一般に知られており、例えば、図１６に示すリモコン錠装置５０などが知られている。
【０００３】
リモコン錠装置５０は、図１６に示すように、ドア５１に設けられた電気錠５２と、電波信号を送信する送信器５３と、電波信号を受信する受信器５４と、電波信号に基づいて電子錠５２の施錠または解錠を制御する制御部５５とから構成されている。電子錠５２と、受信部５４と、制御部５５とは、電力線５６で接続されている。
【０００４】
このリモコン錠装置５０によれば、所有者がドア５１の近傍にきたときに、送信器５３の図示しない操作ボタンを押せば、送信器５３からは、所有者の識別コードＩＤ等を含む電波信号が送信され、受信器５４で電波信号を受信する。
【０００５】
そして、受信器５４が電波信号を受信すると、電波信号に含まれる識別コードＩＤと、予め受信器５４に設定されている識別コードＩＤデータと比較する。電波信号の識別コードと、予め設定されている識別コードデータとが一致していれば、受信器５４は、制御部５５に施解錠信号を送る。
【０００６】
制御部５５は、受信した施解錠信号に基づいて、電子錠５２の施錠または解錠の命令を送る。電子錠５２は、この命令によって施錠または解錠され、ドア５１の開閉を自動的に行うことができる。
【０００７】
【発明が解決しようとする課題】
しかしながら、図１６に示すような従来のリモコン錠装置５０においては、受信器５４や制御部５５等を、例えば、家の内部に配置しなければならず、スペースを取るという問題がある。
【０００８】
また、電源を得るために、例えば、プラグをコンセントに差し込んで、受信器５４の外部からＡＣ電源を取らなければならない。また、受信器５４、制御部５５等がドア５１と一体となっていないため、ドア５１、受信器５４、制御部５５等の間の配線を考慮しなければならない。このため、リモコン錠装置５０を設置するには、大がかりになり手間がかかるという問題がある。
【０００９】
さらに、受信器５４は、むき出したまま設置されているので、受信器５４に、識別コードＩＤを抹消・登録するボタン等が設けられている場合には、簡単に識別コードＩＤを抹消・登録されてしまうという安全性上の問題がある。
【００１０】
一方、この種のリモコン錠装置の普及に伴い、近隣する使用者が家屋や車両のドアの開閉を同一周波数の届く範囲内で、電波による施解錠を使用した場合に、混信が生じ、ドアの開閉ができないという不具合が発生したり、受信器５４が静電気や不要な信号を受信して、誤動作が発生しやすいという問題がある。
【００１１】
また、受信器５４においては、電源を常にオンさせているか間欠オンさせているため、リモコン錠装置５０を長時間使用しない場合、その間の電力は無駄になってしまう。また、電源をオンしている時間が長いほど、不要な信号を受信する頻度が多くなり、誤作動の発生率が高くなるという問題もある。
【００１２】
従って、本発明は、簡単な構成でスペースを取ることなく、さらに、誤作動を防止し、消費電力を削減した施解錠制御装置に課題を有する。
【００１３】
【課題を解決するための手段】
上記課題を解決するために、本発明に係る施解錠制御装置は、次のような構成とする。
【００１４】
（１）所定の基準周波数で変調された施解錠信号に応じてドアの施錠及び解錠を制御する施解錠制御装置であって、前記施解錠信号から前記所定の基準周波数を検知すると電力供給を指示する指示信号を送出するキャリア検知手段と、前記施解錠信号を受信する信号受信手段と、前記信号受信手段で受信した施解錠信号に含まれる識別コードと予め登録されている識別コードを比較して前記ドアを施錠又は解錠するための施解錠制御信号を送出する施解錠制御手段と、前記施解錠制御手段から送出される施解錠制御信号に基づいて前記ドアを施錠又は解錠する施解錠機構と、電力供給のオン／オフを切り換える切換スイッチと、前記キャリア検知手段から送出される前記指示信号に応じて前記切換スイッチのオン／オフを制御することができるタイマと、前記キャリア検知手段に電力を供給するとともに、前記切換スイッチがオンになると前記信号受信手段及び前記施解錠制御手段に電力供給する電源手段と、を備え、前記キャリア検知手段が前記施解錠信号から前記所定の基準周波数を検知すると、前記タイマが動作して前記切換スイッチを一定時間オンに切り換えて前記電源手段から供給される電力によって前記信号受信手段及び前記施解錠制御手段が動作し、前記信号受信手段によって前記施解錠信号を受信すると、前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、前記施解錠機構は、前記施解錠制御手段から送出される施解錠制御信号に基づいて前記ドアを施錠又は解錠することを特徴とする施解錠制御装置。
（２）前記タイマは、前記施解錠信号を受信するまでの間は前記切換スイッチを間欠的にオン／オフし、前記信号受信手段及び前記施解錠制御手段に対して前記電源手段からの電力を間欠的に供給するようにしたことを特徴とする（１）に記載の施解錠制御装置。
（３）更に、前記ドアの施錠又は解錠状態を前記施解錠信号の受信前後で比較することにより該ドアの施錠又は解錠状態を検知し、該検知した施錠又は解錠状態を状態検知信号として前記施解錠制御手段に送出する施錠状態検知手段を備え、
前記施解錠制御手段は、前記施錠状態検知手段からの状態検知信号に基づいて前記施解錠制御信号を送出することを特徴とする（１）に記載の施解錠制御装置。
（４）前記キャリア検知手段、前記信号受信手段、前記施解錠制御手段、前記施解錠機構、前記切換スイッチ及び前記電源手段を一筐体に納めて形成し、且つ、前記ドアに内蔵できるように形成したことを特徴とする（１）に記載の施解錠制御装置。
（５）更に、前記施解錠信号を受信するためのアンテナを前記筐体に設けて形成したことを特徴とする（４）に記載の施解錠制御装置。
【００１５】
（６）所定の基準周波数で変調された施解錠信号に応じてドアの施錠及び解錠を制御する施解錠制御装置であって、人の接近を検知すると電力供給を指示する指示信号を送出する人検知手段と、前記施解錠信号を受信する信号受信手段と、前記信号受信手段で受信した施解錠信号に含まれる識別コードと予め登録されている識別コードを比較して前記ドアを施錠又は解錠するための施解錠制御信号を送出する施解錠制御手段と、前記施解錠制御手段から送出される施解錠制御信号に基づいて前記ドアを施錠又は解錠する施解錠機構と、電力供給のオン／オフを切り換える切換スイッチと、前記人検知手段から送出される前記指示信号に応じて前記切換スイッチのオン／オフを制御することができるタイマと、前記人検知手段に電力を供給するとともに、前記切換スイッチがオンになると前記信号受信手段及び前記施解錠制御手段に電力供給する電源手段と、を備え、前記人検知手段によって人の接近を検知すると、前記タイマが動作して前記切換スイッチを一定時間オンに切り換えて前記電源手段から供給される電力によって前記信号受信手段及び前記施解錠制御手段が動作し、前記信号受信手段によって前記施解錠信号を受信すると、前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、前記施解錠機構は、前記施解錠制御手段から送出される施解錠制御信号に基づいて前記ドアを施錠又は解錠することを特徴とする施解錠制御装置。
（７）前記人検知手段は、焦電センサを具備していることを特徴とする（６）に記載の施解錠制御装置。
（８）前記人検知手段、前記信号受信手段、前記施解錠制御手段、前記施解錠機構、前記切換スイッチ及び前記電源手段を一筐体に納めて形成し、且つ、前記ドアに内蔵できるように形成したことを特徴とする（６）に記載の施解錠制御装置。
（９）更に、前記施解錠信号を受信するためのアンテナを前記筐体に設けて形成したことを特徴とする（８）に記載の施解錠制御装置。
【００１６】
（１０）赤外線信号と所定の基準周波数で変調された施解錠信号とに応じてドアの施錠及び解錠を制御する施解錠制御装置であって、前記赤外線信号を検知する赤外線検知手段と、前記施解錠信号を受信する信号受信手段と、前記信号受信手段で受信した施解錠信号に含まれる識別コードと予め登録されている識別コードを比較して前記ドアを施錠又は解錠するための施解錠制御信号を送出する施解錠制御手段と、前記施解錠制御手段から送出される施解錠制御信号に基づいて前記ドアを施錠又は解錠する施解錠機構と、電力供給のオン／オフを切り換える切換スイッチと、前記赤外線検知手段に電力を供給するとともに、前記切換スイッチがオンになると前記信号受信手段及び前記施解錠制御手段に電力供給する電源手段と、を備え、前記赤外線検知手段が前記赤外線信号を検知すると、前記施解錠制御手段によって前記切換スイッチが一定時間オンに切り換えられて前記電源手段から供給される電力によって前記信号受信手段及び前記施解錠制御手段が動作し、前記信号受信手段によって前記施解錠信号を受信すると、前記施解錠制御手段は、前記信号受信手段で受信した施解錠信号に含まれる識別コードと予め登録されている識別コードを比較し、一致しているときに前記ドアを施錠又は解錠するための施解錠制御信号を送出し、前記施解錠機構は、前記施解錠制御手段から送出される施解錠制御信号に基づいて前記ドアを施錠又は解錠することを特徴とする施解錠制御装置。
（１１）前記赤外線検知手段、前記信号受信手段、前記施解錠制御手段、前記施解錠機構、前記切換スイッチ及び前記電源手段を一筐体に納めて形成し、且つ、前記ドアに内蔵できるように形成したことを特徴とする（１０）に記載の施解錠制御装置。
（１２）更に、前記施解錠信号を受信するためのアンテナを前記筐体に設けて形成したことを特徴とする（１１）に記載の施解錠制御装置。
【００１７】
上記構成により、キャリア検知手段が施解錠信号から所定の基準周波数を検知した時のみ、受信部全体に電力を供給するので、消費電力を削減することができると共に、不要な信号による誤動作を防ぐことができる。また、タイマでドアの施解錠の時だけ電力供給するようにしてあるため、消費電力を削減することができると共に、受信部は、外部から電力を供給するための複雑な配線を必要とせず、簡単な構成にして、省スペースを図ることができる。
【００１８】
また、上記構成により、人検知手段が人の接近を検出した時のみ、受信部全体に電力を供給するので、消費電力を削減することができると共に、不要な信号による誤動作を防ぐことができる。また、タイマでドアの施解錠の時だけ電力供給するようにしてあるため、消費電力を削減することができると共に、受信部は、外部から電力を供給するための複雑な配線を必要とせず、簡単な構成にして、省スペースを図ることができる。
【００１９】
上記構成により、赤外線検知手段が赤外線信号を検知してから、受信部全体（信号受信手段、施解錠制御手段、施解錠機構）に電力を供給して、施解錠信号を受信するので、消費電力を削減することができると共に、不要な信号による誤動作を防ぐことができる。また、タイマ制御手段でドアの施解錠の時だけ電力供給するようにしてあるため、消費電力を削減することができると共に、受信部は、外部から電力を供給するための複雑な配線を必要とせず、簡単な構成にして、省スペースを図ることができる。
【００２０】
上記構成により、キャリア検知手段、人検知手段、赤外線検知手段などの検知手段と、信号受信手段、施解錠制御手段、施解錠機構、切換スイッチ及び電源手段とを一筐体に納めて形成し、且つ、ドアに内蔵できるように形成するので、配線が複雑にならず省スペースを図ることができる。
【００２１】
【発明の実施の形態】
次に、本発明に係る施解錠制御装置の実施形態について図を参照にして以下詳細に説明する。
【００２２】
先ず、本発明の第１実施例について説明する。
【００２３】
施解錠制御装置１は、図１に示すように、ドア２と、送信部であるリモコンキー３と、メカキー５と、ドア２に内蔵する受信部である受信部パック６と、蓋４５とから構成されている。
【００２４】
ドア２は、図１に示すように、外観的には、通常の家屋等の玄関や部屋等に使用される一般的なもので、略直方体に形成されている。ドア２には、ドア２を開閉するためのノブ１２と、鍵穴１３と、錠１４と、受信部パック６の挿入口１５とが備えられ、錠１４は、リモコンキー３、若しくは、メカキー５で施解錠することができる。
【００２５】
リモコンキー３には、図１及び図４に示すように、送信ボタン１６と、マイコン１７と、電源１８と、変調回路（ＭＯＤ  ＯＳＣ）１９と、増幅回路（ＡＭＰ）２０と、変調回路１９及び増幅回路２０と電源１８とを接続するスイッチ２１と、発信アンテナ２２とが設けられている。
【００２６】
送信ボタン１６を押すと、スイッチ２１が閉じ、マイコン１７から電波信号が発せられ、電波信号は、変調回路１９で変調されて増幅回路２０で増幅される。そして、錠１４（図１参照）の施解錠を要求する制御信号を所定の基準周波数ｆ。で変調した変調信号（以下、施解錠信号）が送信アンテナ２２から送信される。
【００２７】
施解錠信号は、識別コードＩＤを含む電波信号であり、この施解錠信号を受信アンテナ２２（図４参照）で受信して、施解錠信号に含まれている識別コードＩＤが予め登録されている識別コードＩＤデータと一致したとき施解錠する。リモコンキー３をドア２の鍵穴１３に差し込み、回転させて施解錠することもできる。
【００２８】
受信アンテナ４は、リモコンキー３から送信される施解錠信号を受信するもので、図３に示すように、受信部パック６に内蔵となっている。
【００２９】
この受信アンテナ４は、図１に示すように、ドア２に電気的に接続した状態であれば、例えば、ドア２のノブ１２、受信パック６の蓋４５、錠１４等に設けてもよい。また、図６に示すように、ドア２にフィルムアンテナ２３を貼り付けたり、図示していないが、ドア２内部に受信アンテナ４を配置してもよい。このように、受信アンテナ４の配線が不要となり構成を簡略化することができる。
【００３０】
メカキー５は、信号送信機能のない、所謂、通常使用されているキーであり、鍵穴１３に差し込んで回転させれば施解錠することができる。
【００３１】
ドア２の側面には、図１及び図６に示すように、受信部パック６を挿入するための挿入口１５が設けられている。挿入口１５に受信部パック６を挿入し、蓋４５で挿入口１５を塞ぎ、図示していないビス等で固定する。
【００３２】
受信部パック６は、図１に示すリモコンキー３がドア２に適合しているか否かを識別する識別コードＩＤデータを登録抹消する機能、即ち、識別コードＩＤ登録抹消部１０（図３参照）を備えている。例えば、図２（イ）に示す受信部パック６Ａは、リモコンキー３又はメカキー５を差し込む操作穴２４が設けられ、図２（ロ）に示す受信部パック６Ｂは、登録ボタン２５や抹消ボタン２６が設けられている。登録ボタン２５及び抹消ボタン２６の下方には、識別コードＩＤデータの登録数を示すＬＥＤ（発光ダイオード）２７が設けられ、点灯しているＬＥＤ２７の数だけ識別コードＩＤデータが登録されている。
【００３３】
図２（イ）に示す受信パック６Ａにおいて識別コードＩＤデータを登録する場合、操作穴２４にリモコンキー３又はメカキー５を差し込んで右に回し、操作ボタン１６（図１参照）又は完了ボタン２８を押す。これにより、電波信号、赤外線信号によって、若しくは、受信部パック６Ａとリモコンキー３との電気的接続によって、識別コードＩＤデータを登録することができる。
【００３４】
識別コードＩＤデータを抹消する場合、リモコンキー３又はメカキー５を差し込んで左に回し、登録する場合と同様に、操作ボタン１６又は完了ボタン２８を押して操作完了とすれば、識別コードＩＤデータを抹消することができる。
【００３５】
この識別コードＩＤデータの登録抹消の操作は、受信部パック６Ａをドア２から取り外した状態で操作穴２４にリモコンキー３又はメカキー５を差し込んで行っても、鍵穴１３（図１参照）と操作穴２４との位置が一致するように受信部パック６Ａをドア２に内蔵してドア２の外側から行ってもよい。
【００３６】
受信パック６Ａの識別コードＩＤデータの登録抹消は、リモコンキー３又はメカキー５の所有者のみが行うことができる。外部者は、識別コードＩＤデータを登録抹消することはできないので、キーの施解錠を制御する送信システムの安全性を図ることができる。
【００３７】
図２（ロ）に示す受信パック６Ｂにおいて識別コードＩＤデータを登録する場合、登録ボタン２５を押して登録状態とし、リモコンキー３の操作ボタン１６（図１参照）を押して施解錠信号を送る。そして、再度、登録ボタン２５を押せば、識別コードＩＤデータを登録することができる。
【００３８】
識別コードＩＤデータを抹消する場合、抹消ボタン２６を押して抹消状態とし、リモコンキー３の操作ボタン１６（図１参照）を押して施解錠信号を送る。そして、再度、抹消ボタン２６を押せば、識別コードＩＤデータを抹消することができる。
【００３９】
この識別コードＩＤデータの登録抹消の操作は、受信部パック６Ｂをドア２から取り外した状態で行い、登録されている識別コードＩＤデータの数だけＬＥＤ２７が点灯する。
【００４０】
受信パック６Ｂの識別コードＩＤデータの登録抹消は、ビス等で固定されている蓋４５を外して、受信部パック６Ｂをドア２から取り外した状態で行う。外部者は、容易に識別コードＩＤデータを登録抹消することはできないので、施解錠制御装置の安全性を図ることができる。
【００４１】
また、受信部パック６は、図３に示すように、受信処理部７と、制御処理部８と、機構部（施解錠機構）９と、電源部１１と、ＩＤ登録抹消部１０と、受信アンテナ４とを備え、一筐体に納めて構成する。
【００４２】
受信処理部７は、図５に示すように、施解錠信号から所定の基準周波数ｆ。を検知するためのキャリア検知回路である共振回路２９と、電源部１１の供給・停止を切り替えるスイッチ３０と、スイッチ３０を一定時間閉じるタイマ３１と、RF(Radio Frequency)/IF(Intermediate Frequency)ブロック３２とを備えている。受信処理部７は、受信アンテナ４で受信した施解錠信号を、制御処理部８とともに復調して出力する。
【００４３】
制御処理部８は、送られてきた施解錠信号の識別コードＩＤが、予め登録されている識別コードＩＤデータと一致するか否かを判断し、一致している場合には、リモコンキー３がドア２に使用するものであると判断して、機構部（施解錠機構）９にキー開閉信号（施解錠制御信号）を送る。識別コードＩＤと識別コードＩＤデータが一致していない場合は、そのリモコンキーがドア２のものではないと判断して、機構部（施解錠機構）９にキー開閉動信号を送らない。
【００４４】
機構部（施解錠機構）９は、図７に示すように、キー開閉信号（施解錠制御信号）を受信すると、錠１４を左右に移動させて施解錠する。また、錠１４の状態、即ち、施錠状態か解錠状態かを検知する状態検知部４６（施錠状態検知手段）が備えられ、検知信号（状態検知信号）を制御処理部８（施解錠制御手段）に送る。
【００４５】
例えば、錠１４がかけられていない第１の状態で、リモコンキー３から施解錠信号、すなわち、CLOSE信号を受けると、制御処理部８は機構部（施解錠機構）９にキー開閉信号（施解錠制御信号）を送る。状態検知部４６（施錠状態検知手段）は、その後、錠１４の第２の状態が信号（施解錠信号）の受信前後で変化しているか否かを比較して施解錠信号の命令通りの状態に錠１４がなっていることを確認し、その検知信号、即ち、状態信号（状態検知信号）を制御処理部８（施解錠制御手段）に送る。制御処理部８（施解錠制御手段）は、錠１４が信号（施解錠信号）の受信前後で移動し、即ち、錠１４がかけられていれば、キー開閉信号（施解錠制御信号）を機構部（施解錠機構）９に送ることを終了する。一方、ドア２が開いていること等により、錠１４が移動せずかけられていない場合、ドア２が閉じて錠１４がかけられるまでキー開閉信号（施解錠制御信号）を機構部（施解錠機構）９に送る。
【００４６】
このように、施解錠信号の命令通りの状態に錠１４がなっていることを確認する状態検知部４６を設けたことによって、確実に施解錠動作を確認することができる。
【００４７】
ＩＤ登録抹消部１０は、図２（イ）及び図２（ロ）に示す受信部パック６Ａ、６Ｂを上記のように操作することによって登録抹消した識別コードＩＤデータを検知し、最新の識別コードＩＤデータを制御処理部８に書き込む。
【００４８】
電源部１１は、乾電池、充電式バッテリ等を使用し、受信処理部７、制御処理部８、機構部（施解錠機構）９、ＩＤ登録抹消部１０等の電源となっている。電源部１１は、スイッチ３０（図５参照）で受信部パック６に対する電力供給を切り替えることによって、省電力が図られている。したがって、乾電池、充電式バッテリ等で充分に電力を供給することができ、外部からＡＣ電源を供給するための複雑な配線等を必要としない。
【００４９】
次に、このような構成からなる第１実施例の施解錠制御装置１の作用を説明する。
【００５０】
先ず、所定の識別コードＩＤデータを設定した受信部パック６（６Ａ、６Ｂ）を挿入口１５からドア２の内部に挿入し、蓋４５で挿入口１５を塞ぎ、ビス等で固定する。
【００５１】
例えば、荷物等を抱えてメカキー５（又は、リモコンキー３）を鍵穴１３に差し込んで操作することが困難な場合、ドア２に、例えば、２〜３メートルまで近づいて、リモコンキー３の送信ボタン１６を押し、施解錠信号を受信アンテナ４（図３及び図５参照）に送る。
【００５２】
共振回路２９は、キャリア検知回路であり、図５に示すように、常に電源部１１と接続しており、施解錠信号から所定周波数である基準周波数ｆ。を検知すると、電力供給を指示する信号を”ＨＩＧＨ”にしてタイマ３１に出力する。
【００５３】
タイマ３１は、常に電源と接続しており、電力供給を指示する信号を受けると、キー駆動制御するために一定時間スイッチ３０をオンにし、RF/IFブロック３２、制御処理部８等に電力を供給し、RF/IFブロック３２及び制御処理部８は、受信アンテナ４で受信した施解錠信号を復調信号として出力する。
又、このタイマ３１は、スイッチ３０をオン／オフして、受信部７全体に間欠的に電力を供給するようにして施解錠信号を受信するようにしてもよい。この場合は、施解錠信号を受信したとき、一定時間電力を継続して供給するようにして施解錠信号による駆動動作を行う。
【００５４】
このように、施解錠信号を受信する一定時間のみ、電源部１１をRF/IFブロック３２、制御処理部８等に接続するので、省電力を図ることができる共に、他の信号を受信することによって発生する誤動作を防ぐことができる。
【００５５】
制御処理部８は、受信処理部７から送られてきた施解錠信号に含まれている識別コードＩＤと予め設定されている識別コードＩＤデータとが一致しているかを確認し、一致していれば、機構部（施解錠機構）９にキー開閉信号（施解錠制御信号）を送り、施解錠する。
【００５６】
リモコンキー３を使用すれば、鍵穴１３にメカキー５（又は、リモコンキー３）を差し込むことなく、遠隔操作によって施解錠することができる。勿論、鍵穴１３にメカキー５（又は、リモコンキー３）を差し込んで施解錠することもできる。
【００５７】
そして、識別コードＩＤデータを登録抹消する際には、図２（イ）及び図２（ロ）に示すように、受信部パック６（６Ａ、６Ｂ）の仕様に応じた方法で、例えば、リモコンキー３でドアに受信部パック６Ａを内蔵した状態で操作する、もしくは、受信部パック６（６Ａ、６Ｂ）を取り出して操作することによって、識別コードＩＤデータを登録抹消することができる。
【００５８】
上記のように、受信部パック６をドア２の内部に配置することによって、複雑な配線が不要となり、取り扱いが簡単になる。
【００５９】
また、識別コードＩＤデータを登録抹消するには、ビス等で固定されている蓋４５を外してドア２内部に納められている受信部パック６（６Ａ、６Ｂ）を取り出して操作するか、リモコンキー３で操作しなければならず、外部の人は簡単に識別コードＩＤデータを変更することができない。従って、安全性を向上させることができる。
【００６０】
尚、受信部パック６（６Ａ、６Ｂ）に音声案内機能を備えて、例えば、ドア２の開閉時や識別コードＩＤデータの抹消登録時等に、音声、若しくは、ブザー音等で案内すれば、ドア２の開閉や識別コードＩＤデータの登録抹消等を確認しながら操作することができる。また、リモコンキー３の電源１８や受信部パック６の電源部１１が切れたとき、音声、ブザー音等で知らせるようにすれば、バッテリ切れによる作動不能を直ちに認識することができ、便利に使用することができる。
【００６１】
次に、第２実施例の施解錠制御装置１Ａについて説明する。
【００６２】
ドア２Ａ、２Ｂの前面には、図８（イ）及び図８（ロ）に示すように、人の接近を検知するセンサ４１（４１Ｂ）が設けられている。センサ４１（４１Ｂ）は、例えば、焦電センサが使用されており、焦電センサは、微少な温度変化を電流として検出することができるので、赤外線検出に広く使用されている。
【００６３】
センサ４１（４１Ｂ）は、ドア２Ａ、２Ｂに少なくとも１つ設けられ、ドア２Ａ、２Ｂに人が近づいてきたとき、検知できるように配置されている。例えば、図８（イ）に示すように、ドア２Ａにセンサ４１が１つ設けられている場合、図１１（イ）に示すように、ドア２Ａに人４２が所定距離Ｌまで近づき、範囲Ｒ１内にいるとき、人４２を検知することができる。また、図８（ロ）に示すように、ドア２Ｂにセンサ４１Ｂが２つ設けられている場合、図１１（ロ）に示すように、人４２Ｂがより広い範囲Ｒ２内にいれば、検知することができる。
【００６４】
受信処理部７Ａは、図９に示すように、センサ４１（４１Ｂ）と、タイマ３１Ａと、スイッチ３０Ａと、RF/IRブロック３２Ａとが備えられている。センサ４１（４１Ｂ）及びタイマ３１Ａと電源部１１Ａとは、常に接続している。RF/IRブロック３２Ａ、制御処理部８Ａ等と電源部１１Ａとは、第１実施例と同様、タイマ３１Ａから送られてくる信号の”ＨＩＧＨ”、”ＬＯＷ”に基づいて制御され、通常、切り離されている。
【００６５】
次に、このような構成からなる第２実施例の施解錠制御装置１Ａの動作を説明する。
【００６６】
ドア２Ａ（２Ｂ）に人４２（４２Ｂ）が近づいて、センサ４１（４１Ｂ）が人４２（４２Ｂ）を検知すると、センサ４１（４１Ｂ）は、”ＨＩＧＨ”になった信号をタイマ３１Ａに出力する。
【００６７】
タイマ３１Ａは、”ＨＩＧＨ”の信号を受けると、一定時間スイッチ３０Ａをオンにし、RF/IFブロック３２Ａ、制御処理部８Ａ等と電源部１１Ａとを接続し、RF/IFブロック３２Ａ及び制御処理部８Ａは、受信アンテナ４Ａで受信した所定の周波数で変調された施解錠信号を復調信号として出力する。
【００６８】
制御処理部８Ａは、受信処理部７Ａから送られてきた施解錠信号に含まれている識別コードＩＤと設定されている識別コードＩＤデータとが一致しているかを確認し、一致していれば、図１０に示すように、機構部（施解錠機構）９Ａにキー開閉信号（施解錠制御信号）を送り、錠１４Ａ（１４Ｂ）を施解錠する。
【００６９】
このように、人を検知した一定時間のみ、電源部１１ＡをRF/IFブロック３２Ａ、制御処理部８Ａ等に接続するので、省電力を図ることができると共に、他の信号を受信することによって発生する誤動作を防ぐことができる。
【００７０】
次に、第３実施例の施解錠制御装置１Ｃについて説明する。
【００７１】
受信部パック６Ｃには、図１２（イ）に示すように、赤外線を受信する赤外線センサ４３が設けられている。図１２（ロ）に示すように、ドア２Ｃには、孔４４が形成され、受信部パック６Ｃを挿入口１５Ｃから挿入すると、赤外線センサ４３が露呈するように形成されている。
【００７２】
リモコンキー３Ｃには、図１３に示すように、送信ボタン１６Ｃと、赤外線信号と電波信号を発信するマイコン１７Ｃと、電源１８Ｃと、変調回路（ＭＯＤ  ＯＳＣ）１９Ｃと、第１、第２増幅回路（ＡＭＰ）２０Ｄ、２０Ｃと、変調回路１９Ｃ及び第１、第２増幅回路２０Ｄ、２０Ｃに電源１８Ｃを供給するスイッチ２１Ｃと、発光ダイオード（ＬＥＤ）４５と、発信アンテナ２２Ｃとが設けられている。
【００７３】
送信ボタン１６Ｃを押すと、スイッチ２１Ｃが閉じ、マイコン１７Ｃから赤外線信号が発せられ、遅れて電波信号が発せられる。赤外線信号は、第１増幅回路２０Ｄで増幅される。そして、ＬＥＤ４５から送信される。電波信号は、第２変調回路１９Ｃで所定の周波数で変調され、第２増幅回路２０Ｃで増幅される。そして、送信アンテナ２２Ｃから施解錠信号として送信される。
【００７４】
受信処理部７Ｃは、図１４に示すように、赤外線センサ４３と、スイッチ３０Ｃと、RF/IRブロック３２Ｃとを備えている。センサ４３及び制御処理部８Ｃと電源部１１Ｃとは、常に接続している。RF/IRブロック３２Ｃは、赤外線センサ４３が赤外線信号を受信したとき、電源部１１Ｃと接続し、通常、接続していない。
【００７５】
次に、このような構成からなる第３実施例の動作を説明する。
【００７６】
リモコンキー３Ｃの送信ボタン１６Ｃを押すと、変調増幅した赤外線信号がＬＥＤ４５から発信され、赤外線センサ４３が検知する。
【００７７】
赤外線センサ４３が赤外線信号を検知すると、制御処理部８Ｃに検知信号を送り、制御処理部８Ｃは、一定時間スイッチ３０Ｃをオンにし、RF/IFブロック３２Ｃに電力を供給する。RF/IFブロック３２Ｃ及び制御処理部８Ｃは、受信アンテナ４Ｃで受信した電波信号である施解錠信号を復調信号として出力する。
【００７８】
制御処理部８Ｃは、受信処理部７Ｃから送られてきた施解錠信号に含まれている識別コードＩＤと設定されている識別コードＩＤデータとが一致しているかを確認し、一致していれば、図１５に示すように、機構部（施解錠機構）９Ｃにキー開閉信号（施解錠制御信号）を送り、錠１４Ｃを移動させて施解錠する。
【００７９】
このように、２種類の信号、例えば、赤外線信号、電波信号を時間差を付けて送信することによって、赤外線信号を受信したとき電源部１１ＣをRF/IFブロック３２Ｃに接続し、施解錠信号である電波信号を受信するので、省電力を図ることができると共に、他の信号を受信することによって発生する誤動作を防ぐことができる。
【００８０】
【発明の効果】
以上説明したように、本発明に係る施解錠制御装置は、キャリア検知回路が施解錠信号の所定の周波数を検知した時のみ、受信部全体に電力を供給することにより、省電力を図ることができると共に、不要な信号による誤動作を防ぐことができる。また、省電力を図ることによって、受信部は、外部から電力を供給するための複雑な配線を必要とせず、簡単に構成することができ、省スペースを図ることができる。
【００８１】
また、検知手段が人の接近を検出した時のみ、受信部全体に電力を供給することにより、省電力を図ることができると共に、不要な信号による誤動作を防ぐことができる。また、省電力を図ることによって、受信部は、外部から電力を供給するための複雑な配線を必要とせず、簡単に構成することができ、省スペースを図ることができる。
【００８２】
また、赤外線信号を検知してから、受信部全体に電力を供給することにより、省電力を図ることができると共に、不要な信号による誤動作を防ぐことができる。また、省電力を図ることによって、受信部は、外部から電力を供給するための複雑な配線を必要とせず、簡単に構成することができ、省スペースを図ることができる。
【００８３】
受信部を構成する機構部（施解錠機構）、制御処理部、電源部をドアに内蔵するので、配線が複雑にならず、省スペースを図ることができる。
【図面の簡単な説明】
【図１】  本発明の第１実施例に係る施解錠制御装置の外観図である。
【図２】  同受信部パックの外観図である。
【図３】  同受信部パックのブロック図である。
【図４】  同リモコンキーのブロック図である。
【図５】  同受信部パックの一部ブロック図である。
【図６】  同ドアの外観図である。
【図７】  同錠の施解錠を示す説明図である。
【図８】  本発明の第２実施例に係る施解錠制御装置の外観図である。
【図９】  同受信部パックの一部ブロック図である。
【図１０】  同錠の施解錠を示す説明図である。
【図１１】  同センサの検知範囲を示す説明図である。
【図１２】  本発明の第３実施例に係る施解錠制御装置の外観図である。
【図１３】  同リモコンキーのブロック図である。
【図１４】  同受信部パックの一部ブロック図である。
【図１５】  同錠の施解錠を示す説明図である。
【図１６】  従来技術のリモコン錠装置の説明図である。
【符号の説明】
１、１Ａ、１Ｃ  施解錠制御装置、
２、２Ａ、２Ｂ、２Ｃ  ドア３、３Ａ、３Ｂ  リモコンキー、
４、４Ａ、４Ｂ  受信アンテナ  ５  メカキー
６、６Ａ、６Ｂ、６Ｃ  受信部パック    ７、７Ａ、７Ｂ  受信処理部、
８、８Ａ、８Ｂ  制御処理部、  ９、９Ａ、９Ｂ  機構部（施解錠機構）
１０  識別コードＩＤ登録抹消部、  １１、１１Ａ、１１Ｃ  電源
１２、１２Ａ、１２Ｂ、１２Ｃ  ノブ  １３、１３Ａ、１３Ｂ、１３Ｃ  鍵穴  １４、１４Ａ、１４Ｂ、１４Ｃ  錠、１５、１５Ａ、１５Ｂ、１５Ｃ  挿入口  １６、１６Ａ、１６Ｃ  送信ボタン  １７、１７Ｃ  マイコン
１８、１８Ｃ  電源  １９、１９Ｃ、１９Ｄ  変調回路
２０、２０Ｃ、２０Ｄ  増幅回路  ２１、２１Ｃ  スイッチ
２２、２２Ｃ  送信アンテナ  ２４  操作穴  ２５  登録ボタン
２６  抹消ボタン  ２７  ＬＥＤ  ２８  完了ボタン
２９  共振回路（キャリア検知回路）  ３０、３０Ａ、３０Ｃ  スイッチ
３１、３１Ａ  タイマ  ３２、３２Ａ、３２Ｃ  RF/IFブロック
４１（４１Ｂ）  センサ  ４２、４２Ｂ  人  ４３  赤外線センサ  ４４  孔
４５  蓋
【図１】
0003694883.tif 000002
【図２】
0003694883.tif 000003
【図３】
0003694883.tif 000004
【図４】
0003694883.tif 000005
【図５】
0003694883.tif 000006
【図６】
0003694883.tif 000007
【図７】
0003694883.tif 000008
【図８】
0003694883.tif 000009
【図９】
0003694883.tif 000010
【図１０】
0003694883.tif 000011
【図１１】
0003694883.tif 000012
【図１２】
0003694883.tif 000013
【図１３】
0003694883.tif 000014
【図１４】
0003694883.tif 000015
【図１５】
0003694883.tif 000016
【図１６】
0003694883.tif 000017